(57)【要約】【課題】従来の眼鏡型の酸素供給装置が有するリムフレームとテンプルフレームとの接合部が変形することがない眼鏡型の酸素吸入装置を提供する。【解決手段】テンプルフレーム２とリムフレーム３との接続部に接続端面２５，３５を有する厚肉部２４，３４がそれぞれ形成されているとともに、その一方の厚肉部３５（２５）の接続端面３４（３５）にテンプルフレーム２またはリムフレーム３に形成されている中空部３６（２６）に連続する嵌合凸部３７がもう一方の厚肉部２５（３５）の接続端面３５（２４）に前記テンプルフレーム２を開いたときに前記嵌合凸部３７が嵌め込まれるリムフレーム２またはテンプルフレーム３に形成されている中空部２６（３６）に連続する嵌合凹部２７がそれぞれ形成されている。【選択図】　　　　図２
2004105235.tif 000002
【特許請求の範囲】
【請求項１】
眼鏡のフレームの全部又は一部を中空体として、そのテンプルフレームとリムフレームを連通させ、前記テンプルフレームの開口端に酸素吸入源に接続したカニューレを接続し、前記リムフレームの開口端に鼻腔カニューレを接続するとともに前記テンプルフレームとリムフレームとがヒンジ結合されてテンプルフレームが開閉可能な酸素吸入装置において、前記テンプルフレームとリムフレームとの接続部に接続端面を有する厚肉部がそれぞれ形成されているとともに、その一方の厚肉部の接続端面にテンプルフレームまたはリムフレームに形成されている中空部に連続する嵌合凸部がもう一方の厚肉部の接続端面に前記テンプルフレームを開いたときに前記嵌合凸部が嵌め込まれるリムフレームまたはテンプルフレームに形成されている中空部に連続する嵌合凹部がそれぞれ形成されていることを特徴とする酸素吸入装置。
【請求項２】
前記ヒンジ結合がばねヒンジである請求項１記載の酸素吸入装置。
【発明の詳細な説明】
【０００１】
【発明の属する技術分野】
本発明は肺に障害がある人が日常生活を送るために酸素濃縮器や酸素ボンベなどの酸素供給源からカニューレ（チューブ）によって鼻腔に酸素を供給するための酸素吸入装置、特に、眼鏡と一体化された酸素吸入装置に関するものである。
【０００２】
【従来の技術】
従来、鼻腔カニューレが鼻腔から外れる心配が無く、安定して酸素を供給することができるばかりか、見栄えもよい酸素吸入装置として、眼鏡型のものが知られている。
【０００３】
この眼鏡型の酸素吸入装置は、図８および図９に示すように、眼鏡のフレーム１の全部又は一部を中空体として、そのテンプルフレーム２とリムフレーム３を連通させ、テンプルフレーム２の開口端２１に酸素吸入源（図示せず）に接続したカニューレ４を接続し、リムフレーム３の開口端３１に鼻腔カニューレ５を接続するものであり、装着が簡単で見栄えもよく、テンプルフレーム２とリムフレーム３とがヒンジ結合されていることから装置を外して保管する場合などにテンプルフレーム２を閉じることにより嵩張ることがなく、きわめて便利である。
【０００４】
そして、前記ヒンジ結合は、それぞれ同一の外径および内径を有する管状のリムフレーム３とテンプルフレーム２とがヒンジ６により開閉可能に結合され、テンプルフレーム２を開いたときにリムフレーム３側の接続端面３２に突設された筒状の嵌合凸部３３がテンプルフレーム２の開口端２２に嵌め込まれることにより、互いに接合するテンプルフレーム２からリムフレーム３へと酸素が漏れることなく搬送されるようになっている。
【０００５】
【発明が解決しようとする課題】
ところが、酸素吸入装置は、酸素吸入源から鼻腔カニューレ５まで比較的少量の酸素を常時一定量供給する必要があり、リムフレーム３とテンプルフレーム２はテンプルフレーム２の開口端２１に接続した酸素吸入源に繋いだ小径のカニューレ４とほぼ同一内径である必要があり、更には外径を大きくすると重量が増えて装着感が悪くなるばかりか見栄えもよくないことから比較的薄肉の管状に形成されている。
【０００６】
そのため、リムフレーム３側の接続端面３２に突設された筒状の嵌合凸部３３が差し込まれるテンプルフレーム２の開口端２２も薄肉となり、テンプルフレーム２の開閉時に、リムフレーム３側の接続端面３２に突設された筒状の嵌合凸部３３がテンプルフレーム２の開口端２１に嵌め込まれる際に、前記嵌合凸部３３がリムフレーム３側の接続端３３に接触して摩擦が生じ、繰り返して使用している間に損傷するなどの不具合があった。特に、繰り返して使用している間にリムフレーム３とテンプルフレーム２とを連結しているヒンジ６の止めねじ６１が緩んだ場合には図９に示すように開口端２２が広がってしまい酸素漏れを起こしたり、また、嵌合凸部３３が潰れて酸素の通過を阻止するなどの変形が生じ、その結果、酸素漏れを起こし、医師から指示・処方された酸素吸入流量を保つことができず、チアノーゼなどの酸素欠乏症を起こすおそれがある、という問題があった。
【０００７】
そこで、本発明は前記従来の眼鏡型の酸素供給装置が有するリムフレームとテンプルフレームとの接合部が変形することがない眼鏡型の酸素吸入装置を提供することを課題とする。
【０００８】
【課題を解決するための手段】
前記課題を解決するための手段として、眼鏡のフレームの全部又は一部を中空体として、そのテンプルフレームとリムフレームを連通させ、前記テンプルフレームの開口端に酸素吸入源に接続したカニューレを接続し、前記リムフレームの開口端に鼻腔カニューレを接続するとともに前記テンプルフレームとリムフレームとがヒンジ結合されてテンプルフレームが開閉可能な酸素吸入装置において、前記テンプルフレームとリムフレームとの接続部に接続端面を有する厚肉部がそれぞれ形成されているとともに、その一方の厚肉部の接続端面にテンプルフレームまたはリムフレームに形成されている中空部に連続する嵌合凸部がもう一方の厚肉部の接続端面に前記テンプルフレームを開いたときに前記嵌合凸部が嵌め込まれるリムフレームまたはテンプルフレームに形成されている中空部に連続する嵌合凹部がそれぞれ形成されていることとした。
【０００９】
また、前記ヒンジ結合をばねヒンジとすることにより、テンプルフレームの開閉が容易かつ確実になり、殊に、テンプルフレームを開いたときにばねの付勢力により開いた状態に保持されるのでリムフレームとテンプルフレームとの接合が解除されることがなく、必要量の酸素を連続して供給することができる。
【００１０】
【発明の実施の形態】
次に本発明の実施の形態を説明すると、図１は本発明に係る酸素供給装置の一形態を示すものであって、全体の構成は前記従来例とほぼ同様であり、眼鏡のフレーム１の全部又は一部を中空体として、そのテンプルフレーム２とリムフレーム３を連通させ、テンプルフレーム２の開口端２１に酸素吸入源（図示せず）に接続したカニューレ４を接続し、リムフレーム３の開口端３１に鼻腔カニューレ５を接続するものである。
【００１１】
そして、テンプルフレーム２とリムフレーム３とがそれぞれ接続部に形成された厚肉部３４，２４において止めねじ５によりヒンジ結合されており、一方の厚肉部３４の接続端面３５に中空部３６に連続する嵌合凸部３７が形成されているとともに、もう一方の厚肉部２４の接続端面２５にはテンプルフレーム２を開いて前記両接続端面２５，３５が互いにせっしたときに嵌合凸部３７が嵌め込まれる嵌合凹部２７が中空部２６に連続して形成されている。
【００１２】
本実施の形態は前記従来例と同様に使用されるが、使用時にテンプルフレーム２を開いたとき、厚肉部２４に形成された嵌合凸部３７が嵌合するリムフレーム３の接続端面３４に形成された嵌合凹部２７に嵌め込まれるので確実に酸素を供給することができる。特に、厚肉部２４に形成された嵌合凸部３７が、リムフレーム３の接続端面３４に形成された嵌合凹部２７に嵌め込まれるが、このとき、テンプルフレーム２を開く際の力が、互いに平らな接続端面２５および３５を介してリムフレーム３に及ぶので、嵌合凹部２７および嵌合凸部３７に力が加わることがなく、図８および図９に示した従来のテンプルフレーム２とリムフレーム３とを直接、接続するものと異なり、使用中に嵌合凸部３７の差し込み時の接触により嵌合凹部２７の口径が広がったり変形したりする心配がなく、ヒンジ６の止めねじ６１の緩みにも対応でき、耐久性にも優れている。
【００１３】
特に、本実施の形態は、厚肉部２４，３４に形成される中空部２６，３６は、テンプルフレーム２とリムフレーム３の内径と同一であり、酸素の均一な搬送を阻止することもない。
【００１４】
更に、図４乃至図７は本発明の異なる実施の形態を示すものであり、全体の構成は前記図１乃至図３に示した実施の形態と同様であるが、ヒンジ６がばねヒンジである点が異なる。以下、この点について説明する。
【００１５】
更に詳しく説明すると、前記図１乃至図３に示した実施の形態と同様にテンプルフレーム２とリムフレーム３とがそれぞれ接続部に形成された厚肉部３４，２４において止めねじ５によりヒンジ結合されており、一方の厚肉部３４のリムフレーム３に対して直角な接続端面３５には中空部３６に連続する嵌合凸部３７が、もう一方の厚肉部２４のテンプルフレーム２に対して直角な接続端面２５にテンプルフレーム２を開いたときに嵌合凸部３７が嵌め込まれる中空部２６に連続する嵌合凹部２７がそれぞれ形成されている。
【００１６】
前記テンプルフレーム２側の厚肉部２４は直方体状に形成されているとともにその内側にリムフレーム３方向に開口した収容穴７１を形成したばね収容部７が一体に添設されており、前記収容穴７１にばね部材８が収容されている。
【００１７】
ばね部材８はコイルばね８１と、コイルばね８１の支持部材８２と、収容穴７１への固定部材８３と、ヒンジ６を構成するヒンジ部材６２とからなり、支持部材８２の基端に突設された停止部材８４と固定部材８３との間にコイルばね８１が外挿されているとともに支持部８２がくさび型の固定部材８３により収容穴７１に固定されて支持部材８２の先端に付設したヒンジ部材６２を収容穴７１の底方向へと引っ張り付勢するものである。
【００１８】
そして、前記ヒンジ部材６２は、リムフレーム３の厚肉部３４の内側に添設されたもう一方のヒンジ部材６３と止めねじ６１により連結されてヒンジ６を形成している。
【００１９】
このように構成される本実施の形態は、前記図１乃至図３に示した実施の形態と同様に、使用中に嵌合凸部３７の差し込み時の接触により嵌合凹部２７の口径が広がったり変形したりする心配がなく、図７に示すようにテンプルフレーム２を開いたときに、コイルばね８１の付勢力によりヒンジ部材６２およびヒンジ部材６３を介してリムフレーム３を引っ張るので、厚肉部３４に形成された嵌合凸部３７と厚肉部２４に形成された嵌合凹部２７とが押圧状態で嵌合するので外れる心配がなく、確実に酸素を供給することができる。
【００２０】
また、本実施の形態は、テンプルフレーム２の開閉および開放状態の保持を予め設定したばね部材８の付勢力により行うことから、従来のような必要以上の力が加わる心配がなく、テンプルフレーム２とリムフレーム３との接続精度を向上させることができ、また、止めねじ６の緩みやずれの影響を大幅に減少することができる。また、テンプルフレーム２は開いた状態でリムフレーム３に対して所定の開放位置よりも外側方向に開くことも可能であり、きわめて良好な装着状態を得ることができるとともに、テンプルフレーム２を閉じたときにもばね部材８が作用してテンプルフレーム２を閉じた状態に保持するので使用しないときに開いたりすることがなく、外した時や保管の際にも便利である。
【００２１】
【発明の効果】
以上のように、本発明によると使用中にリムフレームとテンプルフレームとの接合部が変形したり、破損したりして接合不良になり或いは搬送管か潰れたりすることがなく、所定量の酸素を確実に供給することができる。また、耐久性にも優れており、経済的にも有利である。
【００２２】
更に、本発明において、ヒンジ結合をばねヒンジとした場合には、更に接続が確実で耐久性が増すばかりか装着感も良好で使い勝手もよい。
【図面の簡単な説明】
【図１】本発明の好ましい実施の形態を示す斜視図。
【図２】図１に示した実施の形態における主要部を示す一部断面図。
【図３】図１に示した実施の形態における主要部を示す異なる状態における一部断面図。
【図４】本発明の好ましい異なる実施の形態の主要部を示す分解斜視図。
【図５】図４に示した実施の形態における主要部を示す一部断面図。
【図６】図４に示した実施の形態における主要部の異なる状態を示す部分一部断面図。
【図７】図４に示した実施の形態における主要部の更に異なる状態を示す一部断面図。
【図８】従来例を示す斜視図。
【図９】図８に示した従来例の使用状態を示す斜視部分図。
【符号の説明】
１　フレーム、２　テンプルフレーム、３　リムフレーム、４　カニューレ、５　鼻腔カニューレ、６　ヒンジ、２１　開口端、２４　　厚肉部、２５　　接続端面、２６　　中空部、２７　　嵌合凹部、３１　開口端、３４　厚肉部、３５　　接続端面、３６　中空部、３７　　嵌合凸部
【図１】
2004105235.tif 000003
【図２】
2004105235.tif 000004
【図３】
2004105235.tif 000005
【図４】
2004105235.tif 000006
【図５】
2004105235.tif 000007
【図６】
2004105235.tif 000008
【図７】
2004105235.tif 000009
【図８】
2004105235.tif 000010
【図９】
2004105235.tif 000011